【事件の表示】
　特願２００９−１７９２１８「シート送り装置及び画像形成装置」拒絶査定不服審判事件〔平成２３年　２月１７日出願公開、特開２０１１−　３２０２７〕について、次のとおり審決する。
【結　論】
　本件審判の請求は、成り立たない。
【理　由】
１．手続の経緯
　本願は、平成２１年７月３１日の出願であって、平成２３年５月２日付けで拒絶理由が通知され、これに対し、平成２３年６月２２日付けで意見書の提出とともに手続補正がなされ、平成２３年７月２６日付けで拒絶理由が通知され、これに対し、平成２３年９月１２日付けで意見書の提出がなされたところ、平成２３年１０月５日付けで拒絶査定がなされ、これに対し、平成２３年１２月２２日付けで拒絶査定不服審判の請求がなされるとともに、同時に手続補正がなされ、平成２４年３月１４日付けで審尋がなされ、これに対し、平成２４年５月１６日付けで回答書の提出がされたものである。
　
２．平成２３年１２月２２日付けの手続補正について
（１）補正の内容
　平成２３年１２月２２日付けの手続補正（以下「本件補正」という。）は、特許請求の範囲について、下記ア．に示す補正前の（すなわち、平成２３年６月２２日付けで手続補正された）特許請求の範囲の請求項１ないし５を、下記イ．に示す補正後の特許請求の範囲の請求項１ないし４へと補正するものである。
　
ア．補正前の特許請求の範囲
「【請求項１】
　積層状態で載置されるシートを１枚ずつ分離し、画像を形成する画像形成手段に分離されたシートを搬送供給するためのシート送り装置であって、
　シートが載置される載置部と、
　前記載置部から送り出されたシートに接触してシートに所定の搬送抵抗を付与する分離パッドと、
　シートを前記分離パッドに押し付けながら回転することにより、シートに搬送力を付与する分離ローラと、
　前記分離ローラに駆動力を供給する駆動源と、
　前記分離ローラよりシートの搬送方向下流側の位置であって、前記分離ローラと同時に同一のシートに接触可能な位置に配設され、前記分離ローラの周速より大きな周速で回転することにより、シートに搬送力を付与する搬送ローラと、
　前記搬送ローラからシートに搬送力が付与されるときに、前記分離ローラに供給される駆動力を遮断して、シートの搬送と共に前記分離ローラが従動回転可能な状態とする駆動遮断手段とを備え、
　前記分離ローラより搬送方向下流側の搬送経路は、前記分離ローラより搬送方向下流に屈曲点を有すようにＵ字状に屈曲した経路となっており、
　さらに、前記搬送ローラは、前記搬送経路のうち前記屈曲点より搬送方向上流側に配設されていることを特徴とするシート送り装置。
　
【請求項２】
　前記駆動遮断手段は、前記駆動源側から前記分離ローラ側への動力の伝達を許容し、前記分離ローラ側から前記駆動源側への動力の伝達を遮断するワンウェイクラッチ機構であることを特徴とする請求項１に記載のシート送り装置。
　
【請求項３】
　前記搬送ローラも前記駆動源から駆動力を得て回転することを特徴とする請求項１又は２に記載のシート送り装置。
　
【請求項４】
　前記分離ローラと前記搬送ローラとの軸間距離は、前記分離ローラの半径寸法と前記搬送ローラの半径寸法との和より大きく、かつ、前記分離ローラの半径寸法の３倍より小さい寸法であることを特徴とする請求項１ないし３のいずれか１つに記載のシート送り装置。
　
【請求項５】
　請求項１ないし４のいずれか１つに記載のシート送り装置と、
　前記シート送り装置から搬出されたシートに画像を形成する画像形成手段とを備え、
　前記画像形成手段は、異なる色毎に設けられた複数の画像形成ユニットから構成され、
　前記画像形成手段のシート入口側には、前記画像形成手段に供給されるシートの斜行を矯正するレジストローラが設けられており、
　さらに、前記レジストローラの周速は、前記搬送ローラの周速より小さいことを特徴とする画像形成装置。」
　
イ．補正後の特許請求の範囲
「【請求項１】
　積層状態で載置されるシートを１枚ずつ分離し、画像を形成する画像形成手段に分離されたシートを搬送供給するためのシート送り装置と前記シート送り装置から搬出されたシートに画像を形成する画像形成手段とを備える画像形成装置であって、
　シートが載置される載置部と、
　前記載置部から送り出されたシートに接触してシートに所定の搬送抵抗を付与する分離パッドと、
　シートを前記分離パッドに押し付けながら回転することにより、シートに搬送力を付与する分離ローラと、
　前記分離ローラに駆動力を供給する駆動源と、
　前記分離ローラよりシートの搬送方向下流側の位置であって、前記分離ローラと同時に同一のシートに接触可能な位置に配設され、前記分離ローラの周速より大きな周速で回転することにより、シートに搬送力を付与する搬送ローラと、
　前記搬送ローラからシートに搬送力が付与されるときに、前記分離ローラに供給される駆動力を遮断して、シートの搬送と共に前記分離ローラが従動回転可能な状態とする駆動遮断手段とを備え、
　前記分離ローラより搬送方向下流側の搬送経路は、前記分離ローラより搬送方向下流に屈曲点を有すようにＵ字状に屈曲した経路となっており、
　さらに、前記搬送ローラは、前記搬送経路のうち前記屈曲点より搬送方向上流側に配設され、
　前記画像形成手段は、異なる色毎に設けられた複数の画像形成ユニットから構成され、
　前記画像形成手段のシート入口側には、前記画像形成手段に供給されるシートの斜行を矯正するレジストローラが設けられており、
　さらに、前記レジストローラの周速は、前記搬送ローラの周速より小さいことを特徴とする画像形成装置。
　
【請求項２】
　前記駆動遮断手段は、前記駆動源側から前記分離ローラ側への動力の伝達を許容し、前記分離ローラ側から前記駆動源側への動力の伝達を遮断するワンウェイクラッチ機構であることを特徴とする請求項１に記載の画像形成装置。
　
【請求項３】
　前記搬送ローラも前記駆動源から駆動力を得て回転することを特徴とする請求項１又は２に記載の画像形成装置。
　
【請求項４】
　前記分離ローラと前記搬送ローラとの軸間距離は、前記分離ローラの半径寸法と前記搬送ローラの半径寸法との和より大きく、かつ、前記分離ローラの半径寸法の３倍より小さい寸法であることを特徴とする請求項１ないし３のいずれか１つに記載の画像形成装置。」
　
（２）補正の目的
本件補正は、実質的に、補正前の特許請求の範囲の請求項１〜４を削除するとともに、補正前の特許請求の範囲の請求項１を引用する請求項５を新たな請求項１とし、補正前の特許請求の範囲の請求項２ないし４を引用する請求項５をそれぞれ新たな請求項２ないし４とするものである。
　したがって、本件補正は、特許法第１７条の２第５項第１号に掲げる請求項の削除を目的としていると認められる。
　
３．本願発明
　本願の特許請求の範囲の請求項１に係る発明（以下「本願発明」という。）は、特許請求の範囲、明細書及び図面の記載から見て、前記２．（１）イ．の請求項１に示すとおりのものである。
　
４．刊行物の記載事項
ア．これに対し、原査定の拒絶の理由で引用された本願の出願の日前に頒布された刊行物である特開２００８−１８９４４８号公報（以下「刊行物１」という。）には、次のａ．〜ｋ．の事項が記載されている。
　
ａ．「【０００１】
　本発明は、ファクシミリ、複写機などの装置本体に、用紙を収納した給紙カセットを挿脱可能に設けた画像形成装置に関する。」
　
ｂ．「【００２９】
　２．給紙カセット
　給紙カセット３０は、金属又は樹脂等からなる略箱状体（略直方体）であり、上方が開放された用紙収納室３０ａが凹設されている。用紙収納室３０ａは、用紙を積載して収納可能とされている。」
　
ｃ．「【００３４】
　４．フィーダ部
　フィーダ部８０は、図１に示すように、給紙ローラ８１、分離ローラ１００、ローラ８２、レジストローラ８４等を有して構成されている。」
　
ｄ．「【００３５】
　給紙ローラ８１は、給紙カセット３０の前端側上方に設けられて、給紙カセット３０に載置された用紙を画像形成部５０に給紙（搬送）するものである。給紙ローラ８１の前側下方には、給紙ローラ８１により給紙される用紙を１枚毎に分離する分離ローラ１００および分離パッド１１０が配設されている。」
　
ｅ．「【００３６】
　一対のローラ８２は、搬送ローラ１６（請求項２の一対のローラの他方に相当）とピンチローラ１７（請求項２の一対のローラの一方に相当）から成り、ハウジング７０内の前方側にてＵターンして、ハウジング７０内の略中央部に配設された画像形成部５０に搬送される用紙の画像形成経路Ｐ１のうち、前方の略Ｕ字状に転向する部位に配置され、略Ｕ字状に湾曲しながら画像形成部５０に搬送される用紙に搬送力を与えるものである。」
　
ｆ．「【００３７】
　レジストローラ８４は、ローラ８２よりも画像形成経路Ｐ１の下流側に配設され、ローラ８２により搬送されてくる用紙の前端に接触することでその用紙の斜行を補正した後、その用紙をさらに画像形成部５０へ向けて搬送するものである。」
　
ｇ．「【００４２】
　画像形成部５０は、カラー印刷が可能な、いわゆるダイレクトタンデム方式のものであり、スキャナ部５１、プロセスカートリッジ５８及び定着器ユニット５３等を有して構成されている。」
　
ｈ．「【００４３】
　現像カートリッジ１２０は、イエロー（１２０Ｙ）、マゼンダ（１２０Ｍ）、シアン（１２０Ｃ）、ブラック（１２０Ｋ）の４つから成り、４つの感光ドラム５２ａ、５２ｂ、５２ｃ、５２ｄに対応するよゆに設けられている。」
　
ｉ．「【００４６】
　このような構成である画像形成部５０においては、以下のようにして用紙に画像が形成される。すなわち、感光ドラム５２ａ、５２ｂ、５２ｃ、５２ｄの表面は、その回転に伴って、帯電器により一様に正帯電された後、スキャナ部５１から照射されるレーザビームの高速走査により露光される。これにより、感光ドラム５２ａ、５２ｂ、５２ｃ、５２ｄの表面には、用紙に形成すべき画像に対応した静電潜像が形成される。」
　
ｊ．「【００４７】
　次いで、現像カートリッジ１２０からトナーが静電潜像に対応して感光ドラム５２ａ、５２ｂ、５２ｃ、５２ｄの表面に供給され、感光ドラム５２ａ、５２ｂ、５２ｃ、５２ｄの表面上に担持されたトナーが用紙に転写される。そして、トナーが転写された用紙は定着ユニット５３に搬送されて加熱され、トナーが用紙に定着して、画像形成が完了する。」
　
ｋ．図１には、分離ローラ１００より用紙の搬送方向下流側の位置に搬送ローラ１６が配設されていること、分離ローラ１００より搬送方向下流側の画像形成経路Ｐ１が、分離ローラ１００より搬送方向下流に屈曲点を有すようにＵ字状に屈曲した経路になっていること、レジストローラ８４が画像形成部５０の用紙入口側に設けられていること、並びに、画像形成部５０が、イエロー、マゼンダ、シアン及びブラックの色毎に設けられた現像カートリッジ及び感光ドラムを有する４つのユニットで構成されていることが示されている。
　
　上記ａ．〜ｋ．の記載から、刊行物１には次の発明（以下「刊行物１発明」という。）が記載されていると認められる。
　
「積載して載置された用紙を１枚毎に分離し、画像を形成する画像形成部５０に給紙するフィーダ部８０と、前記フィーダ部８０から給紙された用紙に画像を形成する画像形成部５０とを備える画像形成装置であって、
　用紙が載置される給紙カセット３０と、
　給紙ローラ８１により給紙される用紙を１枚毎に分離する分離ローラ１００及び分離パッド１１０と、
　前記分離ローラ１００より用紙の搬送方向下流側の位置に配設される搬送ローラ１６とを備え、
　前記分離ローラ１００より搬送方向下流側の画像形成経路Ｐ１は、前記分離ローラ１００より搬送方向下流に屈曲点を有すようにＵ字状に屈曲した経路となっており、
　さらに、前記搬送ローラ１６は、前記画像形成経路Ｐ１のうち前方の略Ｕ字状に転向する部位に配置され、
　前記画像形成部５０は、イエロー、マゼンダ、シアン及びブラックの色毎に設けられた現像カートリッジ及び感光ドラムを有する４つのユニットで構成され、
　画像形成部５０の用紙入口側には、用紙の斜行を補正するレジストローラ８４が設けられている画像形成装置。」
　
イ．また、原査定の拒絶の理由で引用された本願の出願の日前に頒布された刊行物である特開２００６−１６１７４号公報（以下「刊行物２」という。）には、次のｌ．〜ｐ．の事項が記載されている。
　
ｌ．「【請求項１】
　用紙載置部に載置収容された用紙に上から弾接して上層用紙を繰出し、摩擦分離パッドとの摩擦接触により用紙を分離・給送する給紙ローラを備えた給紙装置であって、
　前記摩擦分離パッドは前記給紙ローラに弾接するよう用紙ガイド部材に弾装されたパッド台に支持され、上記用紙ガイド部材のガイド面は、給紙ローラから繰出された用紙を上向きに案内するよう湾曲面とされると共に、摩擦分離パッドと給紙ローラとの弾接面より反給紙ローラ側に段差状に形成され、且つ、該ガイド面の下流側端部は、摩擦分離パッドと給紙ローラとの弾接位置より上方に位置することを特徴とする給紙装置。」
　
ｍ．「【０００１】
　本発明は、ファクシミリ装置、複写機或いはプリンタ（これらの複合機も含む）等の画像形成装置において、記録紙カセットや原稿トレイ等の用紙載置部から記録紙或いは原稿を１枚ずつ繰出し、記録部或いは読取部に給送させる為の給紙装置に関する。」
　
ｎ．「【００２２】
　上記構成の給紙装置による給紙の要領について述べる。先ず、記録紙カセット６内の押圧板９上に圧縮ばね９ｂの弾力に抗するように記録紙Ｐの束を収容載置すると、ばね９ｂの復元弾力により記録紙束の最上層紙Ｐの中央部が給紙ローラ７の周体に弾接される。これにより、実質的に給紙ローラ７が上方より記録紙束の最上層紙Ｐに弾接されることになる。この状態で給紙ローラ７が図２及び図３の矢示方向に回転すると、上記弾接と給紙ローラ７表面の摩擦作用とにより上記最上層紙Ｐが繰出され、給紙ローラ７と摩擦分離パッド８とのニップ位置に導入される。この時前記フィルム８ｃの滑り作用により、この導入が円滑になされる。また、記録紙Ｐが複数枚重なって繰出されると、上記ニップ位置での分離作用により最上層の記録紙Ｐのみが分離され、ガイド面１０ａで案内されながら給送される。その後、搬送ローラ対１３、１３ａ及びレジストローラ対１４によりレジスト搬送されて、湾曲搬送路１２を経て記録部４に送致され、印字排出される。」
　
ｏ．「【００２３】
　上記搬送ローラ対１３、１３ａ及びレジストローラ対１４の周速度は給紙ローラ７のそれよりやや大とされているから、搬送ローラ対１３、１３ａにより記録紙Ｐの搬送が開始すると、記録紙Ｐの引張り力が給紙ローラ７に作用し、上記ワンウエイクラッチ７ｂがアンロック状態となり給紙ローラ７が空回りを継続する。先行の記録紙Ｐの後端が上記給紙ローラ７と摩擦分離パッド８とのニップ位置から抜け出ると、後続の記録紙Ｐが上記同様にニップ位置に導入され、分離・給送され、これが給紙停止信号が発信されるまで順次繰返えされる。この連続給紙に伴い、記録紙カセット６内の記録紙Ｐは漸次減っていくが、押上板９は圧縮ばね９ｂにより常時上方付勢されているから、最上層の記録紙Ｐは給紙ローラ７の周体に弾接し、上記繰出しが滞ることなくなされる。」
　
ｐ．「【００２５】
　前記ガイド面１０ａは、給紙ローラ６に斜めに対面する凹曲面とされているから、記録紙Ｐは給紙ローラ７と摩擦分離パッド８とによる分離後は、急激に立ち上がるように給送され、搬送ローラ対１３、１３ａに向かう。従って、この間記録紙Ｐに対してストレスが付加されるが、記録紙Ｐは幅方向に見てフラットな状態に維持されて給送されるから、搬送路のガイドに沿って円滑に給送される。しかも、ガイド面１０ａの下流側端部ａは、摩擦分離パッド８と給紙ローラ７との弾接位置（ニップ位置）ｂより上方に位置するように形成されているから、このニップ位置ｂより抜け出た記録紙Ｐの前端部は前垂れすることなくそのまま推進され、搬送ローラ対１３、１３ａに給送される。尚、図３では上記下流側端部ａと搬送ローラ対１３、１３ａとは離れた位置関係で描かれているが、これらはもっと接近しても良く、或いは両者の間に画像形成装置１の箱型筐体１ａに形成された別のガイド部材を介在させるようにしても良いことは言うまでもない。」
　
ウ．また、原査定の拒絶の理由で引用された本願の出願の日前に頒布された刊行物である特開平１１−１３９６２４号公報（以下「刊行物３」という。）には、次のｑ．の事項が記載されている。
　
ｑ．「【０００５】また、レジストローラの上流側の給紙搬送手段の搬送線速は、一般に、レジストローラと等速か、あるいは、わずかに速くしてあるのが普通である。これは、上流側の搬送線速がレジストローラより遅い場合、給紙搬送手段とレジストローラ間で用紙が突っ張ってしまい、上流側の用紙に対するグリップ力がある程度強ければ、用紙の線速が遅くなって行き、画像が擦られて乱れてしまうという事態を防止するためである。」
　
５．対比・判断
　本願発明と刊行物１発明とを対比する。
　
　刊行物１発明における「用紙」は、本願発明における「シート」に相当し、刊行物１発明における「用紙が載置される給紙カセット３０」は、本願発明における「シートが載置される載置部」に相当する。
　
　刊行物１発明における「現像カートリッジ及び感光ドラムを有するユニット」は、本願発明における「画像形成ユニット」に相当する。
　
　刊行物１発明における「画像形成部５０」は、イエロー、マゼンダ、シアン及びブラックの色毎に設けられた現像カートリッジ及び感光ドラムを有する４つのユニットで構成されているから、「異なる色毎に設けられた複数の画像形成ユニットから構成され」ている点で、本願発明における「画像形成手段」と共通する。
　
　刊行物１発明において、「分離ローラ１００」と「分離パッド１１０」は、給紙される用紙を１枚毎に分離する分離機構を構成している（前記４．ア．ｄ．参照）。このような、分離ローラと分離パッドを用いた分離機構において、分離パッドは用紙に接触して用紙に所定の搬送抵抗を付与する機能を有していること、分離ローラは用紙を分離パッドに押しつけながら回転することにより用紙に搬送力を付与する機能を有していること、及び分離ローラを回転させるために分離ローラに駆動力を供給する駆動源が必要であることは、いずれも技術常識である（例えば、特開２００３−２０６０４２号公報の【００２０】及び【００２２】参照）。したがって、刊行物１発明における「分離パッド１１０」及び「分離ローラ１００」は、それぞれ、本願発明における「載置部から送り出されたシートに接触してシートに所定の搬送抵抗を付与する分離パッド」及び「シートを前記分離パッドに押し付けながら回転することにより、シートに搬送力を付与する分離ローラ」に相当し、また、刊行物１発明の画像形成装置が、分離ローラ１００に駆動力を供給する駆動源を備えていることは明らかである。
　
　刊行物１発明の画像形成装置において、用紙を搬送するためには「分離ローラ１００」から「搬送ローラ１６」へ用紙を受け渡す必要があるから、「搬送ローラ１６」は「分離ローラ１００」と同時に同一の用紙に接触が可能な位置に配設されていることは明らかである。したがって、刊行物１発明における「搬送ローラ１６」は、「分離ローラよりシートの搬送方向下流側の位置であって、前記分離ローラと同時に同一のシートに接触可能な位置に配設され」、「シートに搬送力を付与する」点で、本願発明における「搬送ローラ」と共通する。
　
　刊行物１発明における「画像形成経路Ｐ１」は、本願発明における「搬送経路」に相当する。
　
　刊行物１発明における「前記画像形成経路Ｐ１のうち前方の略Ｕ字状に転向する部位」は、本願発明における「屈曲点」に相当する。
　
　刊行物１発明における「レジストローラ８４」は、「画像形成手段のシート入口側に」設けられ、「画像形成手段に供給されるシートの斜行を」補正すなわち矯正する点で、本願発明における「レジストローラ」と共通する。
　
　刊行物１発明における「フィーダ部８０」は、積載して載置された用紙を１枚毎に分離し、画像を形成する画像形成部５０に給紙するものであるから、本願発明における「積層状態で載置されるシートを１枚ずつ分離し、画像を形成する画像形成手段に分離されたシートを搬送供給するためのシート送り装置」に相当する。
　
　したがって、本願発明と刊行物１発明とは、次の一致点及び相違点（１ないし４）を有する。
　
[一致点]
「積層状態で載置されるシートを１枚ずつ分離し、画像を形成する画像形成手段に分離されたシートを搬送供給するためのシート送り装置と前記シート送り装置から搬出されたシートに画像を形成する画像形成手段とを備える画像形成装置であって、
　シートが載置される載置部と、
　前記載置部から送り出されたシートに接触してシートに所定の搬送抵抗を付与する分離パッドと、
　シートを前記分離パッドに押し付けながら回転することにより、シートに搬送力を付与する分離ローラと、
　前記分離ローラに駆動力を供給する駆動源と、
　前記分離ローラよりシートの搬送方向下流側の位置であって、前記分離ローラと同時に同一のシートに接触可能な位置に配設され、シートに搬送力を付与する搬送ローラとを備え、
　前記分離ローラより搬送方向下流側の搬送経路は、前記分離ローラより搬送方向下流に屈曲点を有すようにＵ字状に屈曲した経路となっており、
　前記画像形成手段は、異なる色毎に設けられた複数の画像形成ユニットから構成され、
　前記画像形成手段のシート入口側には、前記画像形成手段に供給されるシートの斜行を矯正するレジストローラが設けられている画像形成装置。」
　
[相違点１]
　搬送ローラによるシートへの搬送力の付与について、本願発明においては、「分離ローラの周速より大きな周速で回転することにより」と限定されているのに対して、刊行物１発明においては、そのような限定がされていない点。
　
[相違点２]
　本願発明においては、「搬送ローラからシートに搬送力が付与されるときに、前記分離ローラに供給される駆動力を遮断して、シートの搬送と共に前記分離ローラが従動回転可能な状態とする駆動遮断手段」を備えているのに対して、刊行物１発明においては、そのような駆動遮断手段を有しているか不明な点。
　
[相違点３]
　搬送ローラが配設されている位置が、本願発明においては、「前記搬送経路のうち前記屈曲点より搬送方向上流側」であるのに対して、刊行物１発明においては、「前記画像形成経路Ｐ１のうち前方の略Ｕ字状に転向する部位」すなわち「搬送経路の屈曲点」である点。
　
[相違点４]
　レジストローラの周速について、本願発明においては、「レジストローラの周速は、前記搬送ローラの周速より小さい」と限定されているのに対して、刊行物１発明においては、そのような限定がされていない点。
　
上記相違点について検討する。
　
[相違点１及び相違点２について]
　刊行物２には、用紙載置部に載置収容された用紙に上から弾接して上層用紙を繰出し、摩擦分離パッドとの摩擦接触により用紙を分離・給送する給紙ローラを備えた給紙装置を具備した画像形成装置において、搬送ローラ対の周速を給紙ローラのそれよりやや大とし、かつ、搬送ローラ対により記録紙の搬送が開始すると、アンロック状態となり給紙ローラの空回りを継続するワンウエイクラッチを備えた構成が記載されている。刊行物２に記載された画像形成装置における「給紙ローラ」は、用紙を摩擦分離パッドに押し付けながら回転することにより用紙に搬送力を付与する機能を有しているから、本願発明における「分離ローラ」に相当し、刊行物２に記載された「搬送ローラ対により記録紙の搬送が開始すると、アンロック状態となり給紙ローラの空回りを継続するワンウエイクラッチ」は、本願発明における「搬送ローラからシートに搬送力が付与されるときに、分離ローラに供給される駆動力を遮断して、シートの搬送と共に前記分離ローラが従動回転可能な状態とする駆動遮断手段」に相当する。
　刊行物１発明と刊行物２に記載された画像形成装置は、ともに、載置部に積層されたシートを一枚ずつ搬送して画像形成部に供給する画像形成装置であり、シートを一枚ずつに分離するための分離機構として、分離パッドと分離ローラとを用いる分離機構を備えている点で共通している。したがって、刊行物１発明において、刊行物２に記載された上記構成を採用して、搬送ローラ１６の周速を分離ローラ１００の周速より大きくし、かつ、搬送ローラ１６から用紙に搬送力が付与されるときに、分離ローラ１００に供給される駆動力を遮断して、用紙の搬送と共に前記分離ローラ１００が従動回転可能な状態とする駆動遮断手段を設けて、前記相違点１及び相違点２に係る本願発明の構成とすることは、当業者が容易に想到し得ることである。
　
 [相違点３について]
　刊行物１発明において、搬送ローラ１６の配設位置は、搬送経路の屈曲点に限られる訳ではなく適宜に変更できることは、当業者にとって明らかであり、また、刊行物２には、搬送ローラをシート分離部に接近して設けることが記載されている（前記４．イ．ｐ．）。
　したがって、刊行物１発明において、搬送ローラ１６の配設位置を搬送経路の屈曲点より搬送方向上流側として、前記相違点３に係る本願発明の構成とすることは、当業者が容易に想到し得ることである。（実際に、例えば、本願の出願の日前に頒布された刊行物である特開２００９−１２８６６７号公報の図１に、用紙搬送ローラ３３を搬送経路の屈曲点より搬送方向上流側に配置した構成が示されている。）
　
[相違点４について]
　レジストローラを備えたシート送り装置において、円滑なシート搬送を行うために、レジストローラの上流側の給紙搬送手段の搬送速度をレジストローラよりわずかに速くしておくこと、すなわち、レジストローラによるシートの搬送速度を当該レジストローラの上流側の搬送速度より小さくしておくことは、例えば刊行物３に記載されており通常の態様である（前記４．ウ．ｑ．）。
　したがって、刊行物１発明において、円滑なシート搬送を行うために、レジストローラ８４の周速を搬送ローラ１６の周速より小さくすることは、当業者が容易に想到し得ることである。
　
　そして、本願発明によって当業者が予期し得ない格別の効果が奏されるとは認められない。
　
　以上のことから、本願発明は、刊行物１発明並びに刊行物２及び刊行物３に記載された事項に基づいて、当業者が容易に発明をすることができたものである。
　
６．付言
　原査定の理由及びこの審決の理由ではないが、次の点を付言する。
　
　平成２４年３月１４日付けの審尋で提示した前置報告書において引用された本願の出願の日前に頒布された刊行物である前記特開２００９−１２８６６７号公報（以下「刊行物４」という。【００２１】、【００２２】、【００２５】、【００３０】、【００３１】、【００３９】、【００４２】、【００４７】及び図１参照）には、次の発明（以下「刊行物４発明」という。）が記載されていると認められる。
　
「用紙を１枚毎に分離して、画像を形成する画像形成部６０に分離された用紙を供給するためのフィーダ部７０と、前記フィーダ部７０から供給された用紙に画像を形成する画像形成部６０とを備える画像形成装置であって、
　給紙カセット７１と、
　前記給紙カセット７１から搬送される用紙を１枚毎に分離する分離パッド７４及び分離ローラ７３と、
　前記分離ローラ７３を回転駆動するメインモータ９０と、
　前記分離ローラ７３の搬送方向下流側に設けられ用紙を搬送する用紙搬送ローラ３３と、
　給紙カセット７１から搬送される用紙は、その先端部が用紙搬送ローラ３３を通過すると、センサＳ１によって検知され、前記センサＳ１によって用紙の先端部が検知されると、前記分離ローラ７３は分離ローラ用ソレノイド１００によって駆動伝達が遮断され、用紙に対してつれ回りし、
　前記分離ローラ７３より搬送方向下流側の搬送経路は、前記分離ローラ７３より搬送方向下流に屈曲点を有すようにＵ字状に屈曲した経路となっており、
　さらに、前記用紙搬送ローラ３３は、前記搬送経路のうち前記屈曲点より搬送方向上流側に配設され、
　前記画像形成手段は、ブラック（Ｋ）、イエロー（Ｙ）、マゼンタ（Ｍ）、シアン（Ｃ）に対応する４つのドラムユニット６１Ｋ,６１Ｙ,６１Ｍ,６１Ｃから構成され、
　前記画像形成手段の用紙入口側には、レジストローラ３５が設けられており、
　さらに、前記レジストローラ３５の周速は、前記用紙搬送ローラ３３の周速より小さい画像形成装置。」
　
　本願発明と刊行物４発明とは、次の相違点（５ないし６）で相違し、その余の点では一致する。
　
[相違点５]
　搬送ローラによるシートへの搬送力の付与について、本願発明においては、「分離ローラの周速より大きな周速で回転することにより」と限定されているのに対して、刊行物４発明においては、そのような限定がされていない点。
　
[相違点６]
　駆動力遮断手段による分離ローラの駆動遮断について、本願発明においては、「前記搬送ローラからシートに搬送力が付与されるとき」に分離ローラの駆動が遮断されるのに対して、刊行物４発明においては、「センサＳ１によって用紙の先端部が検知されると」分離ローラの駆動が遮断される点。
　
　上記相違点について検討する。
　
[相違点５及び６について]
　刊行物２には、用紙載置部に載置収容された用紙に上から弾接して上層用紙を繰出し、摩擦分離パッドとの摩擦接触により用紙を分離・給送する給紙ローラを備えた給紙装置を具備した画像形成装置において、搬送ローラ対の周速を給紙ローラのそれよりやや大とし、かつ、搬送ローラ対により記録紙の搬送が開始すると、アンロック状態となり給紙ローラの空回りを継続するワンウエイクラッチを備えた構成が記載されている。刊行物２に記載された画像形成装置における「給紙ローラ」は、用紙を摩擦分離パッドに押し付けながら回転することにより用紙に搬送力を付与する機能を有しているから、本願発明における「分離ローラ」に相当し、刊行物２に記載された「搬送ローラ対により記録紙の搬送が開始すると、アンロック状態となり給紙ローラの空回りを継続するワンウエイクラッチ」は、本願発明における「搬送ローラからシートに搬送力が付与されるときに、分離ローラに供給される駆動力を遮断して、シートの搬送と共に前記分離ローラが従動回転可能な状態とする駆動遮断手段」に相当する。
　刊行物１発明と刊行物２に記載された画像形成装置は、ともに、載置部に積層されたシートを一枚ずつ搬送して画像形成部に供給する画像形成装置であり、シートを一枚ずつに分離するための分離機構として、分離パッドと分離ローラとを用いる分離機構を備えている点で共通している。したがって、刊行物４発明において、刊行物２に記載された上記構成を採用して、用紙搬送ローラ３３を分離ローラ７３の周速より大きな周速で回転させ、かつ、紙搬送ローラ３３から用紙に搬送力が付与されるときに、分離ローラ７３に供給される駆動力を遮断して、用紙の搬送と共に前記分離ローラ７３が従動回転可能な状態とする駆動遮断手段を設けた構成に変更し、前記相違点５及び相違点６に係る本願発明の構成とすることは、当業者が容易に想到し得ることである。
　
　そして、本願発明によって当業者が予期し得ない格別の効果が奏されるとは認められない。
　
　よって、本願発明は、刊行物４発明及び刊行物２に記載された事項に基づいて、当業者が容易に発明をすることができたものである。
　
７．まとめ
　上記（１．ないし５．）のとおり、本願の請求項１に係る発明は、刊行物１発明並びに刊行物２及び刊行物３に記載された事項に基づいて、当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。